(57)【特許請求の範囲】
【請求項１】
接合金具を木材の接合端面に挿入して取付けてなる接合金具付き木材であって、接合金具においては、基盤鋼板に対して取付鋼板が略垂直に設けられているとともに、取付鋼板には、その外周面部にスリット断熱材が接着被覆され、また、接合金具と木材とを連結する接合ピン挿入用のピン孔が設けられており、木材においては、接合端面に取付鋼板を挿入するスリットが設けられているとともに、スリットにより分割された接合端部および前記ピン孔を連通する、スリットに対して略垂直なピン挿入孔が設けられており、スリットに接合金具の取付鋼板を挿入した後に、ピン挿入孔に充填材を一定量注入し、次いでピン挿入孔およびピン孔に接合ピンを挿入して、スリットの両側縁をシリコンコーキングで密封してなることを特徴とする接合金具付き木材。
【請求項２】
ピン挿入孔を座堀りとすることを特徴とする請求項１記載の接合金具付き木材。
【請求項３】
接合ピンの側面に溝加工を施してピン挿入孔に挿入することで、該溝部を通じて充填材を木材と接合ピンの間隙全体に行き渡らせていることを特徴とする請求項１または２記載の接合金具付き木材。
【発明の詳細な説明】
【０００１】
【発明の属する技術分野】
この出願の発明は、接合金具付き木材に関するものである。さらに詳しくは、この出願の発明は、接合部の剛性を飛躍的に高めることができる接合金具付き木材に関するものである。
【０００２】
【従来の技術】
工場で木材に接合金具を取付け、接合金具を取付けられた木材を施工現場で別の柱や梁等の骨組材や土台、基礎等と緊結する、金具留め工法が知られている。この金具留め工法は、表面に釘が現れないため仕上がりが美しいこと、施工時の位置あわせが不要であり、作業が省力化されていること、従来一般に行われていたホゾ加工工法に比べて強度が遥かに高いこと等から、近年の住宅建設等には欠かせないものとなっている。
【０００３】
金具留め工法に用いられる接合金具には、様々な種類があり、その一つに、基盤鋼板に対して略垂直に設けられた取付鋼板を木材の接合端面に挿入して取付ける接合金具がある。この接合金具の基盤鋼板および取付鋼板には、それぞれ別の木材を接合するためのピン孔等が設けられており、あらかじめスリットとピン挿入孔が設けられた木材のスリット部分に取付鋼板を挿入し、木材のピン挿入孔および取付鋼板のピン孔に接合ピンを挿入して緊結することで、接合金具を木材に取付けるようにしている。
【０００４】
また、接合ピンと木材との間隙に接着剤等の充填材を注入することで、接合部分の剛性をさらに高める工夫等もされている。
【０００５】
【発明が解決しようとする課題】
しかしながら、充填材を注入するためには、充填材注入ノズルの先端を細くし、その先端を接合ピンと木材の間隙に正確に移動させなければならないため、非常に細かい作業であり、さらにはノズル先端が詰まりやすいという問題があった。また、間隙の奥にまで充填材が注入できなかったり、充填材が間隙に入らずに間隙入口で溜まってしまうという問題があった。
【０００６】
これに対して、木材の側面に充填材注入用の穴をあける対策がとられてもいるが、充填材の注入を円滑に行うために穴径を大きくしたり、穴数を多くしたりすると、木材強度が低下してしまったり、作業工程が増えるといった問題があった。
【０００７】
そこで、この出願の発明は、以上の通りの事情に鑑みてなされたものであり、従来技術の問題点を解消し、充填材を円滑に注入して接合部の剛性を飛躍的に高めることができる接合金具付き木材を提供することを課題としている。
【０００８】
【課題を解決するための手段】
この出願の発明は、上記の課題を解決するものとして、接合金具を木材の接合端面に挿入して取付けてなる接合金具付き木材であって、接合金具においては、基盤鋼板に対して取付鋼板が略垂直に設けられているとともに、取付鋼板には、その外周面部にスリット断熱材が接着被覆され、また、接合金具と木材とを連結する接合ピン挿入用のピン孔が設けられており、木材においては、接合端面に取付鋼板を挿入するスリットが設けられているとともに、スリットにより分割された接合端部および前記ピン孔を連通する、スリットに対して略垂直なピン挿入孔が設けられており、スリットに接合金具の取付鋼板を挿入した後に、ピン挿入孔に充填材を一定量注入し、次いでピン挿入孔およびピン孔に接合ピンを挿入して、スリットの両側縁をシリコンコーキングで密封してなることを特徴とする接合金具付き木材（請求項１）を提供する。
【０００９】
また、この出願の発明は、上記の発明の接合金具付き木材について、ピン挿入孔を座堀りとすること（請求項２）や、接合ピンの側面に溝加工を施してピン挿入孔に挿入することで、該溝部を通じて充填材を木材と接合ピンの間隙全体に行き渡らせること（請求項３）などもその態様として提供する。
【００１０】
【発明の実施の形態】
この出願の発明は、上記の通りの特徴を持つものであるが、以下にその実施の形態について説明する。
【００１１】
図１は、この出願の発明の接合金具付き木材の構成を例示した斜視図である。この出願の発明が提供する接合金具付き木材は、接合金具を木材の接合端面に挿入して取付けてなるものである。図１に示したように、接合金具（１）は、基盤鋼板（２）に対して取付鋼板（３）が略垂直に設けられた構造であり、取付鋼板（３）は、たとえば、図示したような１枚のものや、例示していないが２枚以上が平行に設けられたもの、基盤鋼板（２）の一方の面に取付鋼板（３）を反対の面に別の鋼板を設けたもの等を対象とすることができる。取付鋼板（３）には、接合金具（１）と木材（４）とを連結する接合ピン（５）のピン孔（６）が設けられている。接合ピン（５）としては、たとえばドリフトピン等の公知の接合止具等を用いることができる。
【００１２】
このような接合金具（１）を取付ける木材（４）は、各種の柱や梁等の骨組材が考慮できる。木材（４）には、あらかじめ、接合端面に略垂直に、前記の取付鋼板（３）を挿入するスリット（７）が設けられている。さらに、木材（４）には、スリット（７）に対して略垂直にピン挿入孔（８）が設けられている。このピン挿入孔（８）は、取付鋼板（３）のピン孔（６）と、前記スリット（７）により分割された接合端部を全て連通するように設けられている。
【００１３】
この出願の発明の接合金具付き木材では、このような木材（４）のスリット（７）に、接合金具（１）の取付鋼板（３）を挿入した後、木材（４）の挿入孔（８）に充填材（９）を一定量注入し、次いで挿入孔（８）およびピン孔（６）に接合ピン（５）を挿入するようにしている。充填材（９）は、たとえば、樹脂溶液や液体接着剤等、木材（４）と接合ピン（５）の間隙で固化してその接合強度を高める効果があるものを用いることができる。充填材（９）の注入量は、木材（４）と接合ピン（５）の間隙を満たす程度とする。これによって、充填材（９）の注入孔を別途設ける必要がなく、充填材（９）の注入位置の制御が容易で、木材（４）と接合金具（１）の接合強度を高めることができる、接合金具（１）つき木材が提供される。また、一定量の充填材（９）が注入できるため、安定した強度で接合金具（１）を取付けることができる。
【００１４】
さらに、この出願の発明の接合金具付き木材では、ピン挿入孔（８）を座堀りとしてもよい。木材（４）に設ける接合ピン（５）のピン挿入孔（８）を座堀りとすることで、充填材（９）の注入が円滑に行え、かつ充填材（９）が漏れ落ちることがなくなる。また、座堀りのピン挿入孔（８）に充填材（９）を注入してから接合ピン（５）を挿入することで、充填材（９）をピン挿入孔（８）の奥まで押入でき、さらには木材（４）と接合ピン（５）の間隙に充填材（９）を逆流させて、充填材（９）をピン挿入孔（８）入口付近にまで充填させることができる。
【００１５】
そして、上記いずれかの接合金具付き木材において、接合ピン（５）の側面に溝（１０）加工を施してピン挿入孔（８）に挿入することで、より効率良く、その溝（１０）部を通じて充填材（９）を木材（４）と接合ピン（５）の間隙全体に行き渡らせることができる。この接合ピン（５）は、周胴部に溝（１０）が設けられているため、このような接合金具付き木材に有用である。接合ピン（５）に設ける溝（１０）は、一本であってもよいし、複数本であってもよい。溝（１０）を複数本設ける場合は、接合ピン（５）の軸を中心にして周胴部に均等に設けることが好ましい。このように接合ピン（５）に溝（１０）を設けることで、充填材（９）の充填がよくなるだけでなく、接合ピン（５）と充填材（９）の接触面積を増やすことができ、木材（４）と接合金具（１）の接合強度をさらに高めることができる。
【００１６】
さらにこの出願の発明の接合金具付き木材は、スリット（７）の両側縁をシリコンコーキング（１２）で密封することができる。これにより、より接合強度の高い接合金具付き木材が実現される。
【００１７】
この出願の発明により得られる接合金具付き木材は、従来のものと同様に、省施工、省力化が可能で仕上がりが美しい。加えて、この接合金具付き木材は、従来のものよりも、木材と接合ピンの間隙に充填材が行き渡っているために、より高い接合強度を有している。
【００１８】
【実施例】
図２（イ）、（ロ）、（ハ）は、この出願の発明の接合金具付き木材の一部を例示した平面図、正面図、側面図である。なお、図２において、図１と同一の部分に同一の符合を付して説明を省略する。接合金具（１）には、前述と同様の断面Ｔ型の接合金具（１）を用いた。接合金具（１）の取付鋼板（３）の外周面部には、スリット断熱材（１１）をシリコンコーキングで接着して被覆した。また、木材（４）は、集成材よりなる柱材で、接合端面に垂直にスリット（７）を設けたものを用いた。
【００１９】
木材（４）のピン挿入孔（８）は座堀りとしたため、接合金具（１）取付けの際の充填材（９）の注入を容易に行うことができた。また、充填材（９）をピン挿入孔（８）に注入した後で、この出願の発明の溝のついた接合ピン（５）を挿入したため、木材（４）と接合ピン（５）の間隙全体に充填材（９）を行き渡らせることができた。また、図２において、（１２）はスリット（７）の両側縁を密封するシリコンコーキング、（１３）は基盤鋼板（２）を固定するボルト・ナットである。
【００２０】
図３（イ）、（ロ）、（ハ）は、この出願の発明で用いた接合ピンを例示した正面図、右側面図、左側面図である。接合ピン（５）の周胴部に対称に２本の溝（１０）を設けた。また、この接合ピン（５）の場合は、網目ローレット加工（１４）を施して、抜けにくくしてある。
【００２１】
図４は、この出願の発明の接合金具付き木材を用いて組み立てた住宅骨格を例示した分解斜視図である。矢印で示した箇所は、この出願の発明の接合金具付き木材を使用した箇所である。この出願の発明の接合金具付き木材により、柱材と柱材、柱材と土台や基礎等を、簡単に高強度で接合することができた。
【００２２】
もちろん、この発明は以上の例に限定されるものではなく、細部については様々な態様が可能であることは言うまでもない。
【００２３】
【発明の効果】
以上詳しく説明した通り、この発明によって、接合部の剛性を飛躍的に高めることができる接合金具付き木材が提供される。
【図面の簡単な説明】
【図１】  この出願の発明の接合金具つき木材の構成を例示した斜視図である。
【図２】  （イ）、（ロ）、（ハ）は、この出願の発明の接合金具付き木材の一部を例示した平面図、正面図、側面図である。
【図３】  （イ）、（ロ）、（ハ）は、この出願の発明において用いた接合ピンを例示した正面図、右側面図、左側面図である。
【図４】  この出願の発明の接合金具付き木材を用いて組み立てた住宅骨格を例示した分解斜視図である。
【符号の説明】
１  接合金具
２  基盤鋼板
３  取付鋼板
４  木材
５  接合ピン
６  ピン孔
７  スリット
８  ピン挿入孔
９  充填材
１０  溝
１１  スリット断熱材
１２  シリコンコーキング
１３  ボルト・ナット
１４  網目ローレット加工
【図１】
0003688590.tif 000002
【図２】
0003688590.tif 000003
【図３】
0003688590.tif 000004
【図４】
0003688590.tif 000005